(57)【要約】【課題】  ディジタルクロマデコーダの数を増やすことなく、ＮＴＳＣ方式、ＰＡＬ方式等の複合映像信号同士のマルチ画面表示を行うことができるテレビジョン受信機を提供する。【解決手段】  第１及び第２の映像信号（Ｖａ、Ｖｂ）の少なくとも一方から、色副搬送波の周波数成分を除去する色副搬送波成分除去手段（１２、１３、１４／３２、３３）と、色副搬送波成分除去手段（１２、１３、１４／３２、３３）で色副搬送波成分が除去された映像信号をディジタル信号に変換するアナログ・ディジタル変換回路（１５）と、アナログ・ディジタル変換回路（１５）でディジタル信号に変換された映像信号と、クロマデコーダ（１１）で復号された映像信号とを組合せマルチ画面表示のための映像信号を生成する。【選択図】        図１
2006135855.tif 000002
【特許請求の範囲】
【請求項１】
各々が色差信号で振幅変調された色副搬送波が輝度信号に多重された複合映像信号から成る第１及び第２の映像信号を受け、それらのいずれかを選択して復号するディジタルクロマデコーダと、
前記第１及び第２の映像信号の少なくとも一方から、前記色副搬送波の周波数成分を除去する色副搬送波成分除去手段と、
前記色副搬送波成分除去手段で色副搬送波成分が除去された映像信号をディジタル信号に変換するアナログ・ディジタル変換手段と、
前記アナログ・ディジタル変換手段でディジタル信号に変換された映像信号と、前記ディジタルクロマデコーダで復号された映像信号とを組合せ、マルチ画面表示のための映像信号を生成する画像処理回路と、
前記画像処理回路で生成された映像信号を表示する表示手段と
を備えたマルチ画面テレビジョン受信機。
【請求項２】
前記色副搬送波成分除去手段が、前記第１の映像信号から、前記色副搬送波の周波数成分を除去する第１のフィルタと、前記第２の映像信号から、前記色副搬送波の周波数成分を除去する第２のフィルタと、前記第１のフィルタの出力と、前記第２のフィルタの出力のいずれかを選択するスイッチ手段とを有することを特徴とする請求項１に記載のマルチ画面テレビジョン受信機。
【請求項３】
前記スイッチ手段が、輝度信号及び色差信号又は３原色の色信号から成る第３の映像信号をさらに受け、前記第３の映像信号、前記第１のフィルタの出力及び前記第２のフィルタの出力のいずれかを選択して出力することを特徴とする請求項２に記載のマルチ画面テレビジョン受信機。
【請求項４】
前記色副搬送波成分除去手段が、前記第１の映像信号及び前記第２の映像信号のいずれかを選択するスイッチ手段と、前記スイッチ手段で選択された映像信号から前記色副搬送波の周波数成分を除去するフィルタとを有することを特徴とする請求項１に記載のマルチ画面テレビジョン受信機。
【請求項５】
輝度信号及び色差信号又は３原色の色信号から成る第３の映像信号と、前記色副搬送波成分除去手段の出力とを受け、そのいずれかを選択して出力する更なるスイッチ手段を有し、
前記アナログ・ディジタル変換手段は、前記さらなるスイッチ手段の出力をディジタル信号に変換する
ことを特徴とする請求項４に記載のマルチ画面テレビジョン受信機。
【発明の詳細な説明】
【技術分野】
【０００１】
この発明は、テレビジョン受信機に関し、例えば、２つの複合映像信号、例えばＮＴＳＣ方式やＰＡＬ方式の複合映像信号をマルチ画面表示することができるテレビジョン受信機に関する。
【背景技術】
【０００２】
近年、通常のＮＴＳＣ方式やＰＡＬ方式のテレビジョン信号の他に、パソコン（ＰＣ）用のＲ，Ｇ，Ｂ信号や、ハイビジョンなどのＹＰｂＰｒ信号など様々な形式のビデオ信号を表示できるテレビジョン受信機、例えば液晶表示装置を用いたテレビジョン受信機（液晶テレビ）が増えてきた。また、ＮＴＳＣ方式やＰＡＬ方式の映像信号についてもテレビ放送だけでなく、ＶＴＲやＤＶＤなど様々な機器の出力を受けることができるように、多入力のものが多い。
【０００３】
様々な入力に対して、１画面内に２つ以上の異なる内容の映像を、ピクチャーインピクチャー（ＰＩＰ）形式、ピクチャーオンピクチャー（ＰＯＰ）形式などでのマルチ画面形式で表示することができる機種も多い。
【０００４】
ＮＴＳＣ方式やＰＡＬ方式の複合映像信号を受けた場合、ＹＰｂＰｒまたはＲ，Ｇ，Ｂディジタル映像信号に変換するディジタルクロマデコーダが必要である。このような、機能を持つテレビジョン受信機としては下記の特許文献１に記載されたものがある。
【０００５】
【特許文献１】特開平０６−１７８２２７号公報（第６頁、第１図）
【発明の開示】
【発明が解決しようとする課題】
【０００６】
従来のテレビジョン受信機では、ＮＴＳＣ方式やＰＡＬ方式の複合映像信号をＹＰｂＰｃディジタル映像信号に変換する手段（ディジタルクロマデコーダ）が１つしかないため、ＮＴＳＣ方式やＰＡＬ方式の複合映像信号同士のマルチ画面表示を行うことができない。
【０００７】
ＮＴＳＣ方式やＰＡＬ方式の複合映像信号同士のマルチ画面表示を行うためにディジタルクロマデコーダを２つ設けることも考えられるが、そうすれば回路規模が大きくなって、テレビジョン受信機のコストが高くなるという問題があった。
【０００８】
本発明は、ディジタルクロマデコーダの数を増やすことなく、ＮＴＳＣ方式、ＰＡＬ方式等の複合映像信号同士のマルチ画面表示を行うことができるテレビジョン受信機を提供することを目的とする。
【課題を解決するための手段】
【０００９】
本発明は、
各々が色差信号で振幅変調された色副搬送波が輝度信号に多重された複合映像信号から成る第１及び第２の映像信号を受け、それらのいずれかを選択して復号するディジタルクロマデコーダと、
前記第１及び第２の映像信号の少なくとも一方から、前記色副搬送波の周波数成分を除去する色副搬送波成分除去手段と、
前記色副搬送波成分除去手段で色副搬送波成分が除去された映像信号をディジタル信号に変換するアナログ・ディジタル変換手段と、
前記アナログ・ディジタル変換手段でディジタル信号に変換された映像信号と、前記ディジタルクロマデコーダで復号された映像信号とを組合せマルチ画面表示のための映像信号を生成する画像処理回路と、
前記画像処理回路で生成された映像信号を表示する表示手段と
を備えたマルチ画面テレビジョン受信機を提供する。
【発明の効果】
【００１０】
本発明によれば、ディジタルクロマデコーダの数を増やすことなく、ＮＴＳＣ方式、ＰＡＬ方式等の複合映像信号同士のマルチ画面表示を行うことができる。
【発明を実施するための最良の形態】
【００１１】
実施の形態１．
図１は、この発明の実施の形態１のテレビジョン受信機の構成を示す。
図示のテレビジョン受信機は、ディジタルクロマデコーダ１１と、第１のフィルタ１２と、第２のフィルタ１３と、ビデオスイッチ（スイッチ手段）１４と、アナログ・ディジタル変換回路（ＡＤ変換回路）１５と、画像処理回路１６と、表示部１７と、制御部１８とを有し、図示しない供給手段から、各々が色差信号で振幅変調された色副搬送波が輝度信号に多重されたＮＴＳＣ方式の複合映像信号から成る第１及び第２の映像信号Ｖａ、Ｖｂと、輝度信号及び色差信号（ＹＰｂＰｒ）、又は３原色の色信号（ＲＧＢ）から成る第３の映像信号Ｖｃの供給を受ける。
【００１２】
クロマデコーダ１１は、上記の第１及び第２の映像信号Ｖａ、Ｖｂを受け、そのいずれかを選択して、ディジタルＹＰｂＰｒ信号から成るディジタル映像信号Ｖ１を生成して出力する。
【００１３】
第１のフィルタ１２は、第１の映像信号Ｖａから、色副搬送波の周波数成分を除去する。第２のフィルタ１３は、第２の映像信号Ｖｂから、色副搬送波の周波数成分を除去する。
【００１４】
第１及び第２のフィルタの周波数特性は互いに同じであり、例えば図２（ａ）に示されているように、ＮＴＳＣ方式の複合映像信号の色副搬送波の周波数（３．５８ＭＨｚ）及びその近傍の周波数成分を除去するものであっても良く、図２（ｂ）に示すようにＮＴＳＣ方式の複合映像信号の色副搬送波の周波数（３．５８ＭＨｚ）及びその近傍の周波数成分のみならず、それより高い周波数成分をすべて除去するものであっても良い。その結果、フィルタ１２，１３の出力Ｖ２，Ｖ３は、色成分を含まず、輝度信号成分のみを含むものとなる。
【００１５】
ビデオスイッチ１４は、上記の映像信号Ｖｃと、第１のフィルタ１２の出力Ｖ２と、第２のフィルタ１３の出力Ｖ３のいずれかを選択して出力する。
ビデオスイッチ１４は、例えば図３に示すように、３組の入力端子２１ａ〜２１ｃ、２２ａ〜２２ｃ、２３ａ〜２３ｃと、互いに連動する３個の選択スイッチ２４ａ、２４ｂ、２４ｃと、出力端子２５ａ〜２５ｃとを含む。
第１の組の入力端子２１ａ、２１ｂ、２１ｃは、それぞれ映像信号Ｖｃを構成するＹ，Ｐｂ，Ｐｒ信号、又はＲ，Ｇ，Ｂ信号を受けるためのものである。
第２の組の入力端子２２ａ、２２ｂ、２２ｃ、及び第３の組の入力端子２３ａ、２３ｂ、２３ｃの各々も、本来映像信号を構成する３つの信号（例えばＹ、Ｐｂ、Ｐｒ、又はＲ，Ｇ，Ｂ）を受けるためのものであるが、フィルタ１２、１３はそれぞれＹ信号しか出力しないため、フィルタ１２、１３の出力Ｖ２，Ｖ３を構成する信号の数も１である。
第２の組の入力端子２２ａ〜２２ｃのうちの入力端子２２ａは、映像信号Ｖ２を受けるように接続される。第３の組の入力端子２３ａ〜２３ｃのうちの入力端子２３ａは、映像信号Ｖ３を受けるように接続される。
第２の組の入力端子２２ａ〜２２ｃのうちの入力端子２２ｂ、２２ｃ及び第３の組の入力端子２３ａ〜２３ｃのうちの２３ｂ、２３ｃは、無信号状態に相当するよう接続されている。例えば、図示の例では、入力端子２２ｂ、２２ｃ、２３ｂ、２３ｃはグランドに接続されている。
【００１６】
第１のフィルタ１２と、第２のフィルタ１３と、ビデオスイッチ１４とで、第１及び第２の映像信号Ｖａ及びＶｂの少なくとも一方から、色副搬送波の周波数成分を除去する色副搬送波成分除去手段が構成されている。
【００１７】
ＡＤ変換回路１５は、ビデオスイッチ１４の出力Ｖ４をアナログ信号からディジタル信号に変換し、出力する。
ビデオスイッチ１４の出力端子２５ａ、２５ｂ、２５ｃは、ＡＤ変換回路１５の入力端子２６ａ、２６ｂ、２６ｃに接続されている。
ＡＤ変換回路１５は、３個のＡＤ変換器２７ａ、２７ｂ、２７ｃを有し、これらはそれぞれ入力端子２６ａ、２６ｂ、２６ｃに入力されるアナログ信号をディジタル信号に変換し、それぞれ出力端子２８ａ、２８ｂ、２８ｃから出力する。
【００１８】
画像処理回路１６はＡＤ変換回路１５から出力されたディジタル映像信号Ｖ５と、クロマデコーダ１１から出力されたディジタル映像信号Ｖ１を受け、表示部１７に適した映像信号に変換する処理、及びマルチ画面処理（異画面処理）を行う。
このマルチ画面処理は、例えば、ＡＤ変換回路１５の出力Ｖ５と、クロマデコーダ１１の出力Ｖ１とを組み合わせてＰＩＰ（ピクチャーインピクチャー）やＰＯＰ（ピクチャーオンピクチャー）などのように、一つの画面に複数の互いに異なる内容の映像を表示するための信号処理を意味する。組合せにより生成された映像信号Ｖ６が表示部１７に供給される。
画像処理回路１６はさらに、表示部１７を制御するタイミング信号Ｓｔを出力する。
【００１９】
表示部１７は例えば液晶モジュールで構成され、画像処理回路１６から出力された映像信号Ｖ６と、タイミング信号Ｓｔに従いパネル上に画像を表示する。
【００２０】
制御部１８は例えばＣＰＵで構成され、制御信号Ｓｃを発生し、クロマデコーダ１１、ビデオスイッチ１４、ＡＤ変換回路１５、画像処理回路１６における映像信号の選択及び映像信号の組合せの制御を行う。制御部１８における制御内容の指定は、たとえばユーザが図示しないリモコン（遠隔制御器）を用いて入力した情報、指示に基いて行われる。そのため、例えば、ユーザは、映像信号がＲＧＢ信号であるかＹＰｂＰｒ信号であるかを示す情報を入力する。また、マルチ画面表示においてどの映像信号を主画面用信号とし、どの映像信号を副画面用信号として表示するかを指定する。
【００２１】
制御部１８による、クロマデコーダ１１、ビデオスイッチ１４及び画像処理回路１６の制御は以下のように行われる。
例えば、第１の映像信号Ｖａを主画面とし、第２の映像信号Ｖｂを副画面として組み合わせるときは、クロマデコーダ１１が第１の映像信号Ｖａを選択してデコードし、ビデオスイッチ１４が第２のフィルタ１３の出力Ｖ３を選択して出力するように制御を行う。
同様に、第２の映像信号Ｖｂを主画面とし、第１の映像信号Ｖａを副画面として組み合わせるときは、クロマデコーダ１１が第２の映像信号Ｖｂを選択してデコードし、ビデオスイッチ１４が第１のフィルタ１２の出力Ｖ２を選択して出力するように制御を行う。
また、第１又は第２の映像信号Ｖａ又はＶｂと、第３の映像信号Ｖｃとを組み合わせるときは、クロマデコーダ１１が第１又は第２の映像信号Ｖａ又はＶｂを選択してデコードし、ビデオスイッチ１４が第３の映像信号Ｖｃを選択して出力するように制御を行う。この際、第３の映像信号Ｖｃを主画面とするか副画面とするかの指定に応じて、画像処理回路１６に対する制御信号の内容を変える。
例えば、映像表示部１７が、ＲＧＢ信号である映像信号Ｒ６を表示する場合において、ビデオスイッチ１４が第３の映像信号Ｖｃを選択するように制御され、第３の映像信号ＶｃがＹＰｂＰｒ信号から成るものであるときには、アナログ・ディジタル変換回路１５の出力Ｖ５（ＹＰｂＰｒ）及びクロマデコーダ１１の出力Ｖ１（ＹＰｂＰｒ）を、ＹＰｂＰｒ映像信号からＲＧＢ映像信号に変換する処理を行うように画像処理回路１６を制御する。また、ビデオスイッチ１４が第３の映像信号Ｖｃを選択するように制御され、第３の映像信号ＶｃがＲＧＢ信号から成るものであるときには、クロマデコーダ１１の出力Ｖ１（ＹＰｂＰｒ）だけをＹＰｂＰｒ映像信号からＲＧＢ映像信号に変換する処理を行うように、画像処理回路１６を制御する。さらに、ビデオスイッチ１４が第１又は第２のフィルタ１２、１３の出力Ｖ２，Ｖ３を選択するように制御されるときには、アナログ・ディジタル変換回路１５の出力Ｖ５（ＹＰｂＰｒ）及びクロマデコーダ１１の出力Ｖ１（ＹＰｂＰｒ）を、ＹＰｂＰｒ映像信号からＲＧＢ映像信号に変換する処理を行うように画像処理回路１６を制御する。
【００２２】
以下、一例として、第１の映像信号Ｖａを主画面とし、第２の映像信号Ｖｂを副画面として、マルチ画面表示を行う場合についてさらに詳しく説明する。
【００２３】
この場合、上記のように、制御部１８の制御により、クロマデコーダ１１が第１の映像信号Ｖａを選択してデコードし、ディジタルＹＰｂＰｒ信号に変換する。一方、ビデオスイッチ１４は、第２のフィルタ１３の出力Ｖ３を選択して出力する。第２のフィルタ１３は、映像信号Ｖｂの色搬送波信号を除去し、輝度信号成分のみを含む信号Ｖ３を出力する。
【００２４】
ビデオスイッチ１４で選択された第２のフィルタ１３の出力Ｖ３はＡＤ変換回路１５の第１の入力端子２６ａに入力され、ＡＤ変換器２７ａでＡＤ変換されて、出力端子２８ａから出力される。ＡＤ変換回路１５の第２、第３の入力端子２６ｂ、２６ｃには、無信号に相当する信号が供給される。
【００２５】
ここで、ＡＤ変換回路１５の第１の入力端子２６ａに接続されるフィルタ１３の出力は重畳された３．５８ＭＨｚの色搬送波信号が除去されているため、ＡＤ変換回路１５の出力端子２８ａからは、色搬送波信号に相当する網目状の妨害がないディジタル輝度信号が出力される。また、ＡＤ変換回路１５の第２、第３の入力端子２６ｂ、２６ｃには無信号に相当する信号が接続されるため、ＡＤ変換回路１５は、無色に相当するディジタル信号を端子２８ｂ、２８ｃから出力する。つまり、ＡＤ変換回路１５の出力端子２８ａ、２８ｂ、２８ｃから得られる信号は、網目状の妨害がない、良好なモノクロ映像信号である。
【００２６】
画像処理回路１６は、デコーダ１１から出力される第１の映像信号Ｖａを主画面とし、フィルタ１３を通すことによってモノクロ信号となった第２の映像信号Ｖｂを副画面として組み合わせるマルチ画面処理を行い、その結果得られる信号を表示部１７に送り、マルチ画面表示を行わせる。
【００２７】
以上の構成とすれば、クロマデコーダは一つしか用いないので、複合映像信号の一方を主画面とし、他方を副画面とするマルチ画面表示を行い得るテレビジョン受信機のコストを下げることができる。上記の構成では、副画面はモノクロ映像となるが、副画面は比較的表示面積が小さいとか、或いは、映像の概要が分かれば十分であるとか、高い忠実度が高くなくても良いと言った理由で、カラーでなくても良い場合があり、このような場合に上記のような形でマルチ画面表示を行っても差し支えない。
【００２８】
実施の形態２．
図４は、実施の形態２のテレビジョン受信機を示す。図４に示すテレビジョン受信機は概して図１のテレビジョン受信機と同じであるが、以下の点で異なる。即ち、図１のフィルタ１２、１３、ビデオスイッチ１４の代わりにビデオスイッチ３２、３４、及びフィルタ３３が設けられている。
ビデオスイッチ３２は、第１及び第２の映像信号Ｖａ、Ｖｂのいずれか一方を選択して出力する。
フィルタ３３は、ビデオスイッチ３２の出力Ｖ３２（第１の映像信号Ｖａ及び第２の映像信号Ｖｂのうちの選択されたもの）から、色副搬送波の周波数成分を除去するものであり、図１のフィルタ１２、１３と同じ周波数特性を有する。
ビデオスイッチ３４は、第３の映像信号Ｖｃと、フィルタ３３の出力のいずれかを選択して出力する。ビデオスイッチ３２の出力Ｖ４は、ＡＤ変換回路１５に供給される。
【００２９】
ビデオスイッチ３２及び３４に対する制御は、これら全体として、実施の形態１においてビデオスイッチ１４に対する制御と同じ効果を生じるように行われる。
【００３０】
即ち制御部１８による、クロマデコーダ１１、ビデオスイッチ３２，３４及び画像処理回路の制御は以下のように行われる。
例えば、第１の映像信号Ｖａを主画面とし、第２の映像信号Ｖｂを副画面として組み合わせるときは、クロマデコーダ１１が第１の映像信号Ｖａを選択してデコードし、ビデオスイッチ３２が第２の映像信号Ｖｂを選択して出力し、ビデオスイッチ３４がフィルタ３３の出力Ｖ３３を選択して出力するように制御を行う。
同様に、第２の映像信号Ｖｂを主画面とし、第１の映像信号Ｖａを副画面として組み合わせるときは、クロマデコーダ１１が第２の映像信号Ｖｂを選択してデコードし、ビデオスイッチ３２が第１の映像信号Ｖａを選択して出力し、ビデオスイッチ３４がフィルタ３３の出力Ｖ３３を選択して出力するように制御を行う。
また、第１又は第２の映像信号Ｖａ又はＶｂと、第３の映像信号Ｖｃとを組み合わせるときは、クロマデコーダ１１が第１又は第２の映像信号Ｖａ又はＶｂを選択してデコードし、ビデオスイッチ３４が第３の映像信号Ｖｃを選択して出力するように制御を行う。この際、第３の映像信号Ｖｃを主画面とするか副画面とするかの指定に応じて、画像処理回路１６に対する制御信号の内容を変える。
例えば、映像表示部１７が、ＲＧＢ信号である映像信号Ｒ６を表示する場合において、ビデオスイッチ３４が第３の映像信号Ｖｃを選択するように制御され、第３の映像信号ＶｃがＹＰｂＰｒ信号から成るものであるときには、アナログ・ディジタル変換回路１５の出力Ｖ５（ＹＰｂＰｒ）及びクロマデコーダ１１の出力Ｖ１（ＹＰｂＰｒ）を、ＹＰｂＰｒ映像信号からＲＧＢ映像信号に変換する処理を行うように画像処理回路１６を制御する。また、ビデオスイッチ３４が第３の映像信号Ｖｃを選択するように制御され、第３の映像信号ＶｃがＲＧＢ信号から成るものであるときには、クロマデコーダ１１の出力Ｖ１（ＹＰｂＰｒ）だけをＹＰｂＰｒ映像信号からＲＧＢ映像信号に変換する処理を行うように、画像処理回路１６を制御する。さらに、ビデオスイッチ３４がフィルタ３３の出力Ｖ３３を選択するように制御されるときには、アナログ・ディジタル変換回路１５の出力Ｖ５（ＹＰｂＰｒ）及びクロマデコーダ１１の出力Ｖ１（ＹＰｂＰｒ）を、ＹＰｂＰｒ映像信号からＲＧＢ映像信号に変換する処理を行うように画像処理回路１６を制御する。
【００３１】
上記のように構成しても実施の形態１と同様の効果が得られる。また、フィルタの数を減らすことができるという効果もある。
【００３２】
実施の形態３．
以上第１及び第２の映像信号がＮＴＳＣ方式の複合映像信号である場合について説明したが、本発明は、第１及び第２の映像信号の各々が、色差信号で振幅変調された色副搬送波が輝度信号に多重された複合映像信号であれば良く、例えば第１及び第２の映像信号がＰＡＬ方式の複合映像信号である場合にも適用することができる。
【００３３】
実施の形態４．
以上の実施の形態では、表示部が液晶モジュールで構成されているものとして説明したが、本発明はこれに限定されず、表示部が他の方式のもの、例えばＰＤＰモジュール、ＬＥＤモジュール、エレクトロルミネッセンス（ＥＬ）モジュール（ＥＬ）で構成されたものであっても良い。
【図面の簡単な説明】
【００３４】
【図１】この発明の実施の形態１のテレビジョン受信機を示すブロック図である。
【図２】図１のフィルタ１２および１３の周波数特性を示す図である。
【図３】図１のビデオスイッチ１４及びＡＤ変換回路１５をより詳細に示す図である。
【図４】この発明の実施の形態２のテレビジョン受信機を示すブロック図である。
【符号の説明】
【００３５】
１１  ＮＴＳＣディジタルクロマデコーダ、  １２、１３、３３  フィルタ、  １４、３２、３４  ビデオスイッチ、  １５  アナログ・ディジタル変換回路、  １６  画像処理回路、  １７  表示部、  １８  制御部。
【図１】
2006135855.tif 000003
【図２】
2006135855.tif 000004
【図３】
2006135855.tif 000005
【図４】
2006135855.tif 000006